(57)【要約】【課題】パネルの穴に嵌め込まれたグロメットから引き出されたハーネスの部分が、パネル等に固定されなくても、先ずグロメットの下方に向かって延長されるように構成されたグロメットを提供すること。【解決手段】グロメット１０は、その取付部１２内および中空筒状部１５内に連通するハーネス通路を通って中空筒状部１５の開口から引き出されたハーネスＷの部分がグロメット１０の下方に向かって延長されるように、中空筒状部１５に設けられた錘部１６を備える。【選択図】図１
2007129816.tif 000002
【特許請求の範囲】
【請求項１】
パネルに形成された穴に貫通可能で且つ、前記穴を画成する前記パネルの部分によって保持可能な、本体を備え、前記本体内をハーネスが挿通可能なグロメットであって、
前記パネルに取り付けるための中空の取付部と、
前記取付部から延びる可撓性を有する中空筒状部と、
前記取付部内および前記中空筒状部内に連通するハーネス通路を通って前記中空筒状部の開口から引き出されたハーネスの部分が前記グロメットの下方に向かって延長されるように、前記中空筒状部に設けられた錘部と、
を有することを特徴とするグロメット。
【請求項２】
前記錘部が、前記中空筒状部に固定された、前記中空筒状部とは別体の、錘部材で構成されていることを特徴とする請求項１に記載したグロメット。
【請求項３】
前記錘部が、前記中空筒状部に一体成形されていることを特徴とする請求項１に記載したグロメット。
【請求項４】
前記錘部が、前記中空筒状部の壁を厚肉化した部分であることを特徴とする請求項３に記載したグロメット。
【請求項５】
前記錘部が、前記中空筒状部の前記開口近傍に配置されていることを特徴とする請求項１〜請求項４のいずれか一項に記載したグロメット。
【請求項６】
前記中空筒状部が、蛇腹状部分を有することを特徴とする請求項１〜請求項５のいずれか一項に記載したグロメット。
【発明の詳細な説明】
【技術分野】
【０００１】
本発明は、例えば自動車等といった車両のパネルに形成された穴に貫通可能で且つ、前記穴を画成する前記パネルの部分によって保持可能な、グロメットに係り、特に、パネルに貫通保持されたグロメット本体を貫通するハーネス（即ち、電線を含むワイヤーハーネス）の水切りルートを確定するための水切り構造を形成するグロメットに関する（尚、本発明の説明における『水切り』は、水だけでなく、水、油、アルコール、等を含む液体全般に有効に作用するが、ここではグロメットの技術分野において一般的に名称として広く用いられている『水切り』を用いて説明する。）。
【背景技術】
【０００２】
種々の車両においては、各種電装品の配線用のハーネスをパネルの穴（即ち、パネル孔）に通す場合、主にハーネス保護のため、パネル孔に嵌め込まれるグロメットにハーネスを貫通させる形態を採るが、これに更に、雨水等の液体がハーネスを伝わってグロメット内を通り、車体内部に浸入しないようにする水切り構造が採用される場合がある。
【０００３】
例えば、従来の水切り構造として、パネル孔に嵌め込まれたグロメットから引き出されたハーネスの部分が、先ずグロメットの下方に向かって延長されるように、パネルに部分的に固定された構造が知られている（例えば、特許文献１参照）。しかしながら、この水切り構造は、グロメットの下方にハーネスを部分的に固定できる部分がパネルに存在することを前提とした構造であるため、そのようにハーネスを固定するための部分をパネルに設けることが困難な場合、グロメットから引き出されたハーネスの部分が上向きに延長するように固定されてしまうと、ハーネスの電線間を通って液体が車体内部に浸入してしまう可能性が高い。
【０００４】
【特許文献１】特開平０８−２７５３４９号公報
【発明の開示】
【発明が解決しようとする課題】
【０００５】
本発明は、上述した事情に鑑みてなされたものであり、その目的は、パネルの穴に嵌め込まれたグロメットから引き出されたハーネスの部分が、パネル等に固定されなくても、先ずグロメットの下方に向かって延長されるように構成されたグロメットを提供することにある。
【課題を解決するための手段】
【０００６】
前述した目的を達成するため、本発明に係るグロメットは、下記（１）〜（６）を特徴としている。
（１）  パネルに形成された穴に貫通可能で且つ、前記穴を画成する前記パネルの部分によって保持可能な、本体を備え、前記本体内をハーネスが挿通可能なグロメットであって、
前記パネルに取り付けるための中空の取付部と、
前記取付部から延びる可撓性を有する中空筒状部と、
前記取付部内および前記中空筒状部内に連通するハーネス通路を通って前記中空筒状部の開口から引き出されたハーネスの部分が前記グロメットの下方に向かって延長されるように、前記中空筒状部に設けられた錘部と、
を有すること。
（２）  上記（１）の構成のグロメットにおいて、
前記錘部が、前記中空筒状部に固定された、前記中空筒状部とは別体の、錘部材で構成されていること。
（３）  上記（１）の構成のグロメットにおいて、
前記錘部が、前記中空筒状部に一体成形されていること。
（４）  上記（３）の構成のグロメットにおいて、
前記錘部が、前記中空筒状部の壁を厚肉化した部分であること。
（５）  上記（１）〜（４）いずれかの構成のグロメットにおいて、
前記錘部が、前記中空筒状部の前記開口近傍に配置されていること。
（６）  上記（１）〜（５）いずれかの構成のグロメットにおいて、
前記中空筒状部が、蛇腹状部分を有すること。
【０００７】
上記（１）の構成のグロメットによれば、中空筒状部に設けられた錘部によって中空筒状部に重さが付与されるので、パネルの穴に嵌め込まれたグロメットから引き出されたハーネスの部分をパネル等に固定せずとも確実にグロメットの下方に向かって延長させることができる。
上記（２）の構成のグロメットのように、錘部を、中空筒状部に固定された、中空筒状部とは別体の、錘部材で構成してもよい。
あるいは、上記（３）の構成のグロメットのように、錘部を中空筒状部に一体成形すると、グロメットを製造し易いので好ましい。この場合、錘部は、中空筒状部に重さを付与するための錘部材と中空筒状部とを一体成形することにより形成される部分であってもよい。
あるいは、上記（４）の構成のグロメットのように、錘部を中空筒状部の壁を厚肉化した部分としてもよい。
上記（５）の構成のグロメットでは、錘部が中空筒状部の開口近傍に配置されているので、中空筒状部の開口が確実に下方に向けられ、グロメットから引き出されたハーネスの部分をより確実にグロメットの下方に向かって延長させることができる。
上記（６）の構成のグロメットでは、中空筒状部が蛇腹状部分を有するので、この蛇腹状部分の所で中空筒状部がハーネスとともに湾曲し、よってグロメットから引き出されたハーネスの部分をより確実にグロメットの下方に向かって延長させることができる。
【発明の効果】
【０００８】
本発明によれば、パネルの穴に嵌め込まれたグロメットから引き出されたハーネスの部分をパネル等に固定せずとも確実にグロメットの下方に向かって延長させることができる。
【０００９】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１０】
以下、本発明に係る好適な実施形態を図面に基づいて詳細に説明する。
【００１１】
図１は本発明に係るグロメットの一実施形態を示す平面図、図２は図１のグロメットおよびパネルの縦断面図、そして図３は図１のグロメットの変形例の縦断面図である。
【００１２】
図１および図２に示されるように、本発明の一実施形態であるグロメット１０は、自動車内で鉛直方向に配置されたパネル１に形成されたパネル孔（即ち、穴）４に貫通され且つ、パネル孔４を画成するパネル１の部分によって保持されている。より詳細には、グロメット１０は、その本体１１を貫通するハーネス（即ち、電線を含むワイヤーハーネス）Ｗの水切りルートを確定するための水切り構造を形成するグロメットである。
【００１３】
このグロメット１０は、その本体１１に、パネル１のパネル孔４に嵌着する中空の取付部１２と、該取付部１２から延びる可撓性に富む蛇腹状の第１チューブ部１３および該第１チューブ部１３の他端に連結された第２チューブ部１４を有する中空筒状部１５と、を備える。そして、グロメット１０は、その中空筒状部１５の第２チューブ部１４の他端部（下端部）の外周面上に固定された環状の錘（オモリ）部１６を更に備える。
【００１４】
図１ならびに図２中でパネル１の左側から取付部１２の開口に進入するハーネスＷは、取付部１２内および中空筒状部１５内に連通するハーネス通路１７を通って第２チューブ部１４の他端（下端）の開口から引き出される。このようにグロメット１０の本体１１の内部にはハーネスＷが挿通されている。
【００１５】
グロメット１０の本体１１は可撓性を有するゴム製である。取付部１２と中空筒状部１５とは一体成形されている。但し、グロメット１０の本体１１は、その取付部１２と中空筒状部１５とが別体に形成されたものであってもよい。その場合、中空筒状部１５は合成樹脂製であってもよい。
【００１６】
取付部１２は、中空筒状部１５の第１チューブ部１３との連結部分である基部１２ａと、基部１２ａから延びる嵌着部１２ｄと、を含む。基部１２ａは、その外周部に、パネル孔４を画成するパネル１の環状部分に密着するために形成された第１リップ部１２ｂを有する。
【００１７】
嵌着部１２ｄは、その外周部に、第１リップ部１２ｂとの間にパネル１の前記環状部分を挟むように形成された第２リップ部１２ｃを有する。より詳細には、嵌着部１２ｄは、パネル孔４を画成するパネル１の環状面に沿った外周面を有する外周部を有し、この外周部を部分的に大径となるように張り出させたのが、第２リップ部１２ｃである。
【００１８】
そして基部１２ａの第１リップ部１２ｂを乗り越えてパネル孔４に基部１２ａを嵌入すると、パネル孔４を画成するパネル１の環状部分を第２リップ部１２ｃと第１リップ部１２ｂとが挟持して、グロメット１０がパネル孔４から抜けるのが阻止され、更には、ぐらつきが防止されると共に取付部１２とパネル１とが密着してシールされ、パネル孔４から液体が浸入するのも阻止される。
【００１９】
錘部１６は、中空筒状部１５を形成する材料よりも比重の大きい、金属、石、セラミック、等の錘部材で形成される。錘部１６は、パネル孔４に嵌め込まれたグロメット１０から引き出されたハーネスＷの部分が、パネル１に固定されなくても、先ずグロメット１０の下方に向かって延長されるように、中空筒状部１５に重さを付与するために設けられた別部材である。
【００２０】
この錘部１６は、中空筒状部１５の第２チューブ部１４に、接着剤、凹凸嵌合、等といった適宜な固定手段により固定される。尚、錘部１６は、金属、石、セラミック、等の錘部材と第２チューブ部１４とを一体成形することにより形成される部分であってもよい。また、錘部１６の形状は、錘部１６を中空筒状部１５に固定できる形状であれば、環状でなくともよい。
【００２１】
中空筒状部１５の蛇腹状部分を形成する第１チューブ部１３は、ハーネスＷをガイドおよび保護するための部分ではあるが、本実施形態では特に中空筒状部１５を湾曲自在とするために設けられている。つまり、第１チューブ部１３は、第２チューブ部１４の他端（下端）の開口から引き出されたハーネスＷの部分が先ずグロメット１０の下方に向かって延長されるように、錘部１６により中空筒状部１５に加えられた重力によって容易に曲げられる。第１チューブ部１３は、その管壁をコルゲートチューブのように形成した部分であるが、湾曲自在な性質を満たせるのであれば、例えば、管壁を薄肉化した部分であってもよい。また、中空筒状部１５全体を第１チューブ部１３だけで構成してもよい。
【００２２】
次に、グロメット１０の作用について説明する。
【００２３】
図１ならびに図２中でパネル１の右側の上の方等から、パネル１の表面、グロメット１０の表面、あるいは第２チューブ部１４の他端（下端）の開口から引き出されたハーネスＷの部分の表面に、例えば、雨水、洗車時等の水滴、等の液体がかかっても、その液体はグロメット１０から下方に延長するハーネスＷの部分の表面上を伝わって下方に流れて行き、ハーネスＷの略Ｕ字状曲げ部分の下面から、滴り落ちる。
【００２４】
次に、図３を参照してグロメット１０の変形例を説明する。尚、この変形例の説明において、既に説明したものと同様な構成または同様な作用を有するものについては同一符号または相当符号を付し、それらの説明は省略または簡略化する。
【００２５】
図３に示されるように、グロメット１０Ａは、その本体１１Ａに、取付部１２と、第１チューブ部１３および第２チューブ部１４Ａを有する中空筒状部１５Ａと、を備える。中空筒状部１５Ａの第２チューブ部１４Ａは、その他端部（下端部）に一体成形された環状の錘部１６Ａを有する。この錘部１６Ａは、第２チューブ部１４Ａの管壁を外側に張り出すように厚肉化した部分である。よって、錘部１６Ａも第２チューブ部１４Ａと同様にゴム製である。
【００２６】
錘部１６Ａは、図１および図２に示される錘部１６と同様に、パネル孔４に嵌め込まれたグロメット１０Ａから引き出されたハーネスＷの部分が、パネル１に固定されなくても、先ずグロメット１０の下方に向かって延長されるように、中空筒状部１５Ａに重さを付与するために設けられている。尚、錘部１６Ａの形状は環状でなくともよい。
【００２７】
以上、説明したように、グロメット１０，１０Ａによれば、中空筒状部１５，１５Ａに設けられた錘部１６，１６Ａによって中空筒状部１５，１５Ａに重さが付与されるので、パネル１のパネル孔４に嵌め込まれたグロメット１０，１０Ａから引き出されたハーネスＷの部分をパネル１等に固定せずとも確実にグロメット１０，１０Ａの下方に向かって延長させることができる。
【００２８】
尚、グロメット１０のように、錘部１６を、中空筒状部１５に固定された、中空筒状部１５とは別体の、錘部材で構成してもよい。あるいは、錘部１６を、中空筒状部１５に重さを付与するための錘部材と中空筒状部１５とを一体成形することにより形成される部分で構成してもよい。あるいは、グロメット１０Ａのように、錘部１６Ａを中空筒状部１５Ａの壁を厚肉化した部分で構成してもよい。錘部１６，１６Ａが中空筒状部１５，１５Ａに一体成形される形態を採ると、グロメット１０，１０Ａを製造し易いので好ましい。
【００２９】
また、グロメット１０，１０Ａでは、錘部１６，１６Ａが中空筒状部１５，１５Ａの開口近傍に配置されているので、中空筒状部１５，１５Ａの開口が確実に下方に向けられ、グロメット１０，１０Ａから引き出されたハーネスＷの部分をより確実にグロメット１０，１０Ａの下方に向かって延長させることができる。
【００３０】
また、グロメット１０，１０Ａでは、中空筒状部１５，１５Ａが蛇腹状部分を有するので、この蛇腹状部分の所で中空筒状部１５，１５ＡがハーネスＷとともに湾曲し、よってグロメット１０，１０Ａから引き出されたハーネスＷの部分をより確実にグロメット１０，１０Ａの下方に向かって延長させることができる。
【００３１】
さて、ここで、本発明の更なる優位性を説明するため、図４および図５に参考例を示す。図４はグロメットの参考例を示す平面図、そして図５は図４に示したグロメットの参考例およびパネルの縦断面図である。
【００３２】
図４および図５に示されるように、パネル孔４に嵌め込まれたグロメット１００は、上述のグロメット１０，１０Ａのような中空筒状部１５，１５Ａおよび錘部１６，１６Ａを持たない。そのため、グロメット１００から引き出されたハーネスＷの部分は、先ずグロメット１００の下方に向かって延長されるように、パネル１に固定部材５により部分的に固定されている。
【００３３】
しかしながら、このようなグロメット１００が形成する水切り構造は、グロメット１００の下方にハーネスＷを部分的に固定できる部分がパネル１に存在することを前提とした構造であるため、そのようにハーネスＷを固定するための部分をパネル１に設けることが困難な場合、グロメット１００から引き出されたハーネスＷの部分が図４および図５中に鎖線で示されるように上向きに延長するように固定されてしまうと、ハーネスＷの電線間を通って液体が車体内部に浸入してしまう。
【００３４】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【００３５】
本発明は、パネルの穴に嵌め込まれたグロメットから引き出されたハーネスの部分を確実にグロメットの下方に向かって延長させることが可能であるので、ハーネスの水切りルートを確定するための水切り構造を形成するグロメットとして有用である。
【図面の簡単な説明】
【００３６】
【図１】本発明に係るグロメットの一実施形態を示す平面図である。
【図２】図１のグロメットおよびパネルの縦断面図である。
【図３】図１のグロメットの変形例およびパネルの縦断面図である。
【図４】グロメットの参考例を示す平面図である。
【図５】図４に示したグロメットの参考例およびパネルの縦断面図である。
【符号の説明】
【００３７】
１：パネル
１０，１０Ａ：グロメット
１２：取付部
１５，１５Ａ：中空筒状部
１６，１６Ａ：錘部
１７：ハーネス通路
Ｗ：ハーネス
【図１】
2007129816.tif 000003
【図２】
2007129816.tif 000004
【図３】
2007129816.tif 000005
【図４】
2007129816.tif 000006
【図５】
2007129816.tif 000007